(57)【要約】  骨トンネル内に移植片を固定できる膝の靱帯再建のためのアンカーシステム。アンカーシステムは、近位端から遠位端まで長手方向軸に沿って延在する管状の本体を有するアンカーを含む。円錐形頭部は、管状の本体の遠位端に固定される。一連の拡張可能なセグメントは、管状の本体に沿って位置付けられ、本体に沿って、セグメントが半径方向に拡張して骨トンネルの内側と係合する、収縮して配置された位置に移動可能である。ねじ付き駆動部材は、アンカーおよび移植片が骨トンネル内に位置付けられると、セグメントを配置された構成に移動させ得る。駆動ツールは、駆動部材を前進させるために使用され得、またストライクプレートをハンドルの後方から押し出して、アンカーが完全に完全に配置されているかどうかの表示を提供する、可動シャフトを含むことができる。【選択図】図１２
2020523109.tif 000002
【特許請求の範囲】
【請求項１】
アンカーシステムであって、
近位端から遠位端に長手方向軸に沿って延在する管状の本体と、
前記管状の本体の前記遠位端に固定された円錐形頭部と、
管状の本体の中間部分に沿って位置付けられ、複数の拡張可能なセグメントが間隔を空けて、半径方向に収縮した、配置されていない構成と、前記複数の拡張可能なセグメントが前記円錐形頭部に対して一緒に圧縮され、半径方向に拡張した、配置された構成との間で移動可能な複数の拡張可能なセグメントと、
前記管状の本体の前記近位端の外側表面上に配置された第一の組のねじ山と、を含む、アンカーシステム。
【請求項２】
前記管状の本体の前記近位端上に位置付けられた駆動部材をさらに含む、請求項１に記載のアンカーシステム。
【請求項３】
前記駆動部材が、内側表面を画定するように貫通して形成された穴を有し、前記内側表面の遠位部分が、前記第一の組のねじ山に対応する第二の組のねじ山を含む、請求項２に記載のアンカーシステム。
【請求項４】
前記駆動部材の前記円錐形頭部に向かう進行が、前記複数の拡張可能なセグメントを前記配置されていない構成から前記配置された構成に移動させる、請求項３に記載のアンカーシステム。
【請求項５】
前記円錐形頭部が、組織移植片を受け入れるように寸法決めされた少なくとも一つのスカラップを含む、請求項４に記載のアンカーシステム。
【請求項６】
前記複数の拡張可能なセグメントのそれぞれが円錐台形である、請求項５に記載のアンカーシステム。
【請求項７】
前記複数の拡張可能なセグメントのそれぞれが、半径方向外側に延在する少なくとも一つのスロットを含む、請求項６に記載のアンカーシステム。
【請求項８】
前記駆動部材の前記内側表面の近位部分が、内側非円形形状を含む、請求項７に記載のアンカーシステム。
【請求項９】
第一の端部および第二の端部を有するハンドルと、前記ハンドルの前記第一の端部から、前記駆動部材の前記内側非円形形状に対応する外側非円形形状を有する自由端まで延在するシャンクと、を有する駆動ツールをさらに含む、請求項８に記載のアンカーシステム。
【請求項１０】
前記駆動ツールが、前記シャンクの前記自由端から前記ハンドルの前記第二の端部まで前記シャンクを貫通する可動シャフトと、前記シャンクの前記自由端に向かって前記可動シャフトに付勢を提供するばねと、をさらに含む、請求項９に記載のアンカーシステム。
【請求項１１】
前記駆動ツールが、前記ストライクプレートが前記ハンドルの前記第二の端部において受け入れられる第一の位置と、前記ストライクプレートが、前記ハンドルの前記第二の端部から延在する第二の位置との間を移動するために、前記可動シャフトに結合されたストライクプレートをさらに含む、請求項１０に記載のアンカーシステム。
【請求項１２】
前記シャンクの前記自由端を前記駆動部材に挿入すると、前記管状の本体に沿った第一の方向への前記駆動部材を伴う前記駆動ツールの前進により、前記管状の本体が、前記可動シャフトを前記ばねの前記付勢に対して反対方向に押すように、前記管状の本体の前記近位端が前記駆動ツールの前記可動シャフトと整列する、請求項１１に記載のアンカーシステム。
【請求項１３】
骨トンネル内に移植片を固定する方法であって、
近位端から遠位端まで長手方向軸に沿って延在する管状の本体と、前記管状の本体の前記遠位端に固定された円錐形頭部と、前記管状の本体の中間部分に沿って位置付けられた複数の拡張可能なセグメントと、前記骨トンネルへの前記管状の本体の前記近位端の外側表面に配置された第一の組のねじ山と、を含むアンカーを提供するステップと、
前記移植片を前記円錐形頭部および複数のセグメントに沿って置くように、前記移植片を前記アンカーに沿って配置するステップと、
前記アンカーを前記移植片とともに前記骨トンネル内に位置付けるステップと、
前記複数のセグメントが前記骨トンネルに対して半径方向に拡張するように、前記管状の本体に沿って駆動部材を前進させ、前記円錐形頭部に対して前記複数のセグメントを圧縮するために、前記管状の本体の周りの前記第一の組のねじ山に対応する第二の組のねじ山を有する駆動部材を回転させるステップと、を含む、方法。
【請求項１４】
前記駆動部材を回転させるステップが、非円形の外側形状を有する駆動ツールのシャンクを、対応する非円形の内側形状を有する前記駆動部材の遠位開口部に挿入し、前記駆動ツールを回転させて、それに応じて前記駆動部材を回転させることを含む、請求項１３に記載の方法。
【請求項１５】
前記駆動ツールが、前記管状の本体の近位端に当接し、シャンクに対する可動シャフトの移動により、ストライクプレートが前記ハンドルの外に延びるように、前記駆動ツールが前記駆動部材を前進させるとき、前記シャンクに対して移動する可動シャフトを有する、請求項１４に記載の方法。
【発明の詳細な説明】
【技術分野】
【０００１】
関連出願の相互参照
本出願は、２０１７年６月１２日に出願された米国仮特許出願第６２／５１８，２４５号の優先権を主張する。
【０００２】
本発明は、膝の靱帯再建に関し、より具体的には、膝の靱帯再建における干渉固定装置として使用され得る拡張アンカーに関する。
【背景技術】
【０００３】
関連技術の説明
前部の十字靱帯手術などの、膝の靱帯再建の間、軟組織移植片は多くの場合、骨トンネル内に引き出され、固定される必要がある。移植片を固定する従来的アプローチには、移植片が所定位置に引き出された後に骨トンネル内に挿入される干渉ねじまたはアンカーの使用が関与する。このアプローチは強固なアンカーポイントを提供するが、ねじまたはアンカーの挿入は困難であり、高い失敗率を有する。従って、トンネル内に移植片の安定化のために骨トンネルの壁に対して移植片を圧縮するためにより簡単に使用できるインプラントに対するニーズがある。
【発明の概要】
【０００４】
本発明は、骨トンネル内に移植片を固定できる膝の靱帯再建のためのアンカーシステムを提供する。一実施形態では、アンカーシステムは、近位端から遠位端へと長手方向軸に沿って延在する管状の本体を有するアンカーを含む。円錐形頭部は、管状の本体の遠位端に固定される。複数の拡張可能なセグメントは、管状の本体の中間部分に沿って位置付けられ、セグメントが間隔を空けて半径方向に収縮される配置されていない構成と、セグメントが円錐形頭部に対して圧縮され、半径方向に拡張される配置された構成との間で移動可能である。第一の組のねじ山は、管状の本体の近位端の外側表面上に配置される。駆動部材は、管状の本体の近位端上に位置付けられ得る。駆動部材は、内側表面を画定するように貫通して形成された穴を有してもよく、内側表面の遠位部分は、第一の組のねじ山に対応する第二の組のねじ山を含む。円錐形頭部に向かって駆動部材の前進により、複数のセグメントを配置されていない構成から配置された構成に移動させる。円錐形頭部は、組織移植片を受け入れるように寸法決めされた少なくとも一つのスカラップを含み得る。セグメントは円錐台形であってもよく、半径方向外側に延びる少なくとも一つのスロットを含む。駆動部材の内側表面の近位部分は、内側非円形形状を含み得る。アンカーシステムは、第一の端部および第二の端部を有するハンドルを有する駆動ツールと、ハンドルの第一の端部から駆動部材の内側非円形形状に対応する外側非円形形状を有する自由端まで延在するシャンクとをさらに含み得る。駆動ツールはさらに、シャンクの自由端からハンドルの第二の端部へとシャンクを通って延在する可動シャフトと、可動シャフトをシャンクの自由端に向かって付勢するばねとを含み得る。駆動ツールは、ストライクプレートがハンドルの第二の端部において受け入れられる第一の位置と、ストライクプレートがハンドルの第二の端部から延びている第二の位置との間の移動のために可動シャフトに結合されたストライクプレートをさらに含み得る。シャンクの自由端を駆動部材に挿入すると、駆動部材とともに駆動ツールの管状の本体に沿った第一の方向への前進により、管状の本体は、可動シャフトをばねの付勢に対し反対方向に押すように、管状の本体の近位端を駆動ツールの可動シャフトと位置合わせすることができる。
【０００５】
本発明は、移植片を骨トンネル内に固定する方法を追加的に含み得る。この方法の第一のステップは、近位端から遠位端まで長手方向軸に沿って延びる管状の本体と、管状の本体の遠位端に固定された円錐形頭部と、管状の本体の中間部分に沿って位置付けられた複数の拡張可能なセグメントと、骨トンネルへの管状の本体の近位端の外側表面に位置付けられた第一の組のねじ山とを含むアンカーを提供することである。方法の次のステップは、移植片を円錐形頭部および複数のセグメントに沿って置くように、移植片をアンカーに沿って配置することを含む。方法の次のステップは、アンカーを移植片とともに骨トンネルに配置することを含む。方法の次のステップは、複数のセグメントが骨トンネルに対して半径方向に拡張するように、管状の本体に沿って駆動部材を前進させ、円錐形頭部に対して複数のセグメントを圧縮するために、管状の本体の周りの第一の組のねじ山に対応する第二の組のねじ山を有する駆動部材を回転させることを含む。駆動部材を回転させるステップは、非円形の外側形状を有する駆動ツールのシャンクを、対応する非円形の内側形状を有する駆動部材の遠位開口部に挿入し、駆動ツールを回転させて、それに応じて駆動部材を回転させることを含み得る。駆動ツールは、管状の本体の近位端に当接する可動シャフトを持ってもよく、駆動ツールが、駆動部材を前進させて、ストライクプレートがハンドルから外に延びるとき、シャフトに対して移動する。
【図面の簡単な説明】
【０００６】
本発明は、添付図面と併せて以下の詳細な説明を読むことにより、より完全に理解され、認識される。
【０００７】
【図１】図１は、膝の靱帯再建中に骨トンネルに挿入された本発明によるアンカーの概略図である。
【図２】図２は、本発明による固定シャフトおよび頭部の側面図である。
【図３】図３は、本発明によるアンカーシャフトおよび頭部の正面端面図である。
【図４】図４は、本発明によるアンカーの側面図である。
【図５】図５は、本発明によるアンカーの正面端面図である。
【図６】図６は、本発明による駆動部材の断面図である。
【図７】図７は、本発明による駆動部材の正面端面図である。
【図８】図８は、本発明による駆動部材の側面図である。
【図９】図９は、膝の靱帯再建用の骨トンネル内に位置付けられた本発明によるアンカーの断面図である。
【図１０】図１０は、配置前の本発明によるアンカーの断面図である。
【図１１】図１１は、配置後の本発明によるアンカーの断面図である。
【図１２】図１２は、配置前の本発明によるアンカーの側面図である。
【図１３】図１３は、配置後の本発明によるアンカーの側面図である。
【図１４】図１４は、本発明によるアンカー用のドライバの断面図である。
【図１５】図１５は、本発明によるアンカー用のドライバの端部の断面図である。
【図１６】図１６は、本発明によるアンカー用のハンドルの断面図である。
【発明を実施するための形態】
【０００８】
図を参照して、図中、同様の数字は同様の部分を指し、膝の手術中に骨トンネル内に挿入し、次いで骨トンネル内に移植片を保持するために配置するための、本発明による拡張アンカー１０が、図１に見られる。図２および３を参照すると、アンカー１０は、管状である本体１４の第一の端部に一般的に円錐固定された頭部１２を含む。本体１４は、外科手術の作業中に、アンカー１０の配置を補助するために使用されるガイドワイヤーまたはガイドピンを受け入れるために、貫通穴１６を有し、カニューレが通される。図３に示すように、頭部１２は、移植片のリムを収容できる一つまたは複数のスカラップ１８を含み得る。本体１４の第二の端部は、外側ねじ山２４を含む。
【０００９】
図４を参照すると、一般的に円錐台形である一連のセグメント２０は、本体１４に沿って摺動して位置付けられ、セグメント２０のテーパーが頭部１２から反対側の本体１４の第二の端部に向かって外向きに拡大するように、配向される。セグメント２０は、セグメント２０が、管状の本体１４に沿って間隔を空けられ、より小さい外径を有する配置されていない位置と、セグメント２０が頭部１２に向かって、本体１４と一緒に圧縮されて、セグメント２０の半径方向の拡張を引き起こし、セグメント２０の半径方向の直径を増加させる配置された位置との間を移動できる。図５に示すように、セグメント２０は、頭部１２に対して圧縮された時に、半径方向の拡張を促進するために、一連の半径方向延長スロット２２を含み得る。他の形状も可能であるが、セグメント２０は、配置された位置にあるとき、セグメント２０が、骨トンネル内にアンカー１０を固定し、骨トンネル内にアンカー１０の長さに沿って位置付けられた移植片を固定するように、十分に拡張できなければならない。
【００１０】
図６〜図８を参照すると、アンカー１０は、第一の空洞３４を有する第一の端部３２を有する駆動部材３０をさらに含む。第一の空洞３４は、本体１４の外側ねじ山２４に対応する一組の内側ねじ山３６を画定する第一の内径を有する。本明細書に記載のとおり、駆動部材３０はさらに、対応する形状の工具に連結して回転するために、六角形などの所定の非円形形状を有する内側表面４２を画定するように中に形成された第二の空洞４０を有する第二の端部３８を含む。第二の空洞４０は、第一の空洞３４に延び、繋がる第二の空洞４０よりも小さい内径を有する通路４４を含む。肩部４８は、通路４４と第二の空洞４０との間の内側寸法の差異によって形成される。駆動部材３０はさらに、周りに延びる一連の外部リブ４６を含み得る。駆動部材３０は、本体１４上に位置付けられ、配置のために図９に見られるように骨トンネル５０に挿入され得る。図１０〜図１３を参照し、駆動部材３０が第二の空洞４０とインターフェースされたツールによって回転される場合、駆動部材３０は、図１０および１２に示すように、第一の配置されない位置から、図１１および１３に示すように、第二の配置された位置に、本体１４上を前進する。ここで、セグメント２０が、セグメント２０の外側部分が、骨トンネル５０の内部と係合するように半径方向に拡張され、アンカー１０およびそれに関連する任意の移植片をしっかりと適所にロックするように、頭部１２に対して長手方向に圧縮される。
【００１１】
図１４〜図１６を参照すると、本発明は、アンカー１０の挿入および配置を助けるように構成されたドライバ１００をさらに含み得る。ドライバ１００は、ハンドル１０２と、駆動部材３０の第二の空洞４０の内側表面４２に対応する所定の外側形状を有する第一の端部１０６で終端するシャンク１０４とを含む。ドライバ１００はさらに、シャンク１０４の内部に位置付けられ、駆動部材３０の通路４４内で本体１４と当接して駆動部材３０内に延在するよう寸法決めされた、移動可能な深さシャフト１０８を含む。深さシャフト１０８は、ハンドル１０２内に取り付けられたばね１１２によって第一の端部１０６に向かって付勢される。深さシャフト１０８は、ハンドル１０２を通って延び、シャンク１０４からハンドル１０２の反対側の端に取り付けられたストライクプレート１１０と係合する。ストライクプレート１１０は、ストライクプレート１１０がハンドル１０２と同一平面にある第一の位置と、ストライクプレート１１０が、ハンドルから延びており、深さシャフト１０８の移動量の視覚的表示を提供する第二の位置との間に移動可能である。
【００１２】
駆動部材３０が本体１４上に位置付けられた時に、第一の端部１０６が駆動部材３０の第二の空洞４０内に位置するように、ドライバ１００が位置付けられるとき、深さシャフト１０８は通路４４内の本体１４に当接して延びることが認識されるべきである。駆動部材３０が回転して駆動部材３０を本体１４上に前進させると、ドライバ１００の第一の端部１０６が駆動部材３０の第二の空洞４０内に維持される場合、アンカー１０の本体１４は通路４４を通って伸び始め、シャフト１０８に対して長手方向の力を提供する。本体１４によって第一の端部１０６内のシャフト１０８に長手方向にかけられた力は、ばね１１２を圧縮し、従ってストライクプレート１１０がハンドル１０２から延びる。結果として、ストライクプレート１１０のハンドル１０２からの移動量は、第一の端部１０６が深さシャフト１０８に対してどれだけ移動したか、従って駆動部材３０がアンカー１０の本体１４に沿ってどれだけ前進したかを示すことができる。従って、識別マークをストライクプレート１１０上に配置して、アンカー１０が、アンカー１０に沿ってスカラップ１８を通って延びる移植片とともに骨トンネル内の所定の位置に固定されるように、アンカーへの駆動部材３０の配置が完了したときを識別することができる。
【図１】
2020523109.tif 000003
【図２】
2020523109.tif 000004
【図３】
2020523109.tif 000005
【図４】
2020523109.tif 000006
【図５】
2020523109.tif 000007
【図６】
2020523109.tif 000008
【図７】
2020523109.tif 000009
【図８】
2020523109.tif 000010
【図９】
2020523109.tif 000011
【図１０】
2020523109.tif 000012
【図１１】
2020523109.tif 000013
【図１２】
2020523109.tif 000014
【図１３】
2020523109.tif 000015
【図１４】
2020523109.tif 000016
【図１５】
2020523109.tif 000017
【図１６】
2020523109.tif 000018
【国際調査報告】
2020523109.tif 000019
2020523109.tif 000020
2020523109.tif 000021
2020523109.tif 000022